(57)【要約】【課題】  乾燥器具など高コストで構造を複雑化する部材を設けることなく、水分を含む洗濯物から容易に水分を除去することができる電気洗濯機の運転制御方法を得る。【解決手段】  外箱１内に支持された外槽２内に、洗濯兼脱水槽６を回転自在に配設するとともに、洗濯兼脱水槽６の上端部より高い位置に吸気口１６を形成し、洗濯兼脱水槽６を回転させることで吸気口１６から外気を取り入れて、洗濯兼脱水槽６内に投入されている水分を含んだ洗濯物９に取り入れた外気を接触させて水分を気化蒸発させる。【選択図】  図１
2005052682.tif 000002
【特許請求の範囲】
【請求項１】
外箱内に支持された外槽内に、洗濯兼脱水槽を回転自在に配設するとともに前記外箱上面の蓋に、外部と前記洗濯兼脱水槽とを連通する吸気口を形成し、洗濯物の洗いやすすぎを行う電気洗濯機の運転制御方法であって、前記洗濯兼脱水槽の回転力により前記吸気口から外気を洗濯兼脱水槽内に取り込み、前記洗濯物とその外気が接触するように前記洗濯兼脱水槽の回転を制御することを特徴とする電気洗濯機の運転制御方法。
【請求項２】
外箱内に支持された外槽内に、洗濯兼脱水槽を回転自在に配設するとともに前記外箱上面の蓋に、外部と前記洗濯兼脱水槽とを連通する吸気口を形成し、洗い工程、すすぎ工程、脱水工程を自動的に行う全自動洗濯機の運転制御方法であって、前記脱水工程終了後、洗濯物が投入されている洗濯兼脱水槽を回転させ、その洗濯兼脱水槽の回転力により前記吸気口から外気を前記洗濯兼脱水槽内に取り込み、前記洗濯兼脱水槽内の洗濯物とその外気が接触するように前記洗濯兼脱水槽の回転を制御することを特徴とする電気洗濯機の運転制御方法。
【請求項３】
外箱内に支持された外槽内に、洗濯兼脱水槽を回転自在に配設するとともに前記外箱上面の蓋に、外部と前記洗濯兼脱水槽とを連通する吸気口を形成し、洗い工程、すすぎ工程を自動的に行う全自動洗濯機の運転制御方法であって、すすぎ工程終了後、洗濯物が投入されている洗濯兼脱水槽を回転させ、その洗濯兼脱水槽の回転力により前記吸気口から外気を前記洗濯兼脱水槽内に取り込み、前記洗濯兼脱水槽内の洗濯物とその外気が接触するように前記洗濯兼脱水槽の回転を制御することを特徴とする電気洗濯機の運転制御方法。
【発明の詳細な説明】
【技術分野】
【０００１】
この発明は、電気洗濯機の運転制御方法に関する。
【背景技術】
【０００２】
図９は従来の電気洗濯機を示す断面図で、図において２１は外箱、２２は水受けかご、２３は脱水かご、２４は脱水孔、２５は回転翼、２６はモータ、２７は減速機、２８は排水ホース、２９は洗濯物である。
【０００３】
このような従来の電気洗濯機においては、洗濯物２９と洗剤とを脱水かご２３中に投入してスイッチを押すと、水受けかご２２内に注水され、水が所定量貯留されるとモータ２７が作動して回転翼２５が回転し、洗濯物２９の洗浄が始まる。所定時間回転翼が回転して洗浄が終わると、モータ２７を止め汚水を排水する。
【０００４】
汚水排水後注水して回転翼２５を回転させて行なう濯ぎ洗いを数回繰り返した後、脱水かご２３を高速回転させると、洗濯物２９の水分は脱水孔２４から遠心力で飛散し、脱水かご２３の洗濯物２９は脱水される。脱水後、脱水かご２３内の洗濯物２９を取り出して干す。
【０００５】
【特許文献１】実開昭５３-１３４４８１
【発明の開示】
【発明が解決しようとする課題】
【０００６】
上記のような従来の電気洗濯機では、前記脱水にて脱水かご２３を回転することで洗濯物２９内の水分が遠心力により飛散しさせて洗濯物２９を干して乾燥させるというものであるが、洗濯物２９がジーンズなどの厚手のものである場合、洗濯物２９内に含まれる水分が大量であるために遠心力によって飛散させるには限界があり、乾きの悪いものであった。さらに、脱水後に飛散し切れなかった水分が残っている洗濯物を室内で干した場合、水分が気化するまでに時間がかかるために洗濯物２９内に水分が滞在する時間が長くなり、水カビのような独特に臭いが洗濯物に残ってしまうという問題点があった。また、従来これらを解決するために乾燥機能を備えたものもあるが、コストがかかり構造も複雑になるという問題点があった。
【０００７】
この発明は、上述のような課題を解決するためになされたもので、乾燥器具など高コストで構造を複雑化する部材を設けることなく、水分を多く含む洗濯物から容易に水分を除去することができる電気洗濯機の運転制御方法を提供するものである。
【課題を解決するための手段】
【０００８】
この発明に係る電気洗濯機においては、外箱内に支持された外槽内に、洗濯兼脱水槽を回転自在に配設するとともに前記外箱上面の蓋に、外部と前記洗濯兼脱水槽とを連通する吸気口を形成し、洗濯物の洗いやすすぎを行う電気洗濯機の運転制御方法であって、前記洗濯兼脱水槽の回転力により前記吸気口から外気を洗濯兼脱水槽内に取り込み、前記洗濯物とその外気が接触するように前記洗濯兼脱水槽の回転を制御するものである。
【発明の効果】
【０００９】
この発明によれば、前記洗濯兼脱水槽の回転力により前記吸気口から外気を洗濯兼脱水槽内に取り込み、前記洗濯物とその外気が接触するように前記洗濯兼脱水槽の回転を制御するので、洗濯物の水分を気化蒸発させて早く除去できる。
【発明を実施するための最良の形態】
【００１０】
実施の形態１．図１〜図５はこの発明の電気洗濯機を示す断面図、トップカバーの斜視図、バランサーの斜視図、回転翼の上面図、背面側の斜視図である。図において、１は外箱、２はこの外箱１内に配設する外槽、３は外槽２の外底部に配置するモータ４、減速機５などからなる駆動部、６は外槽２内に回転自在に設けられる洗濯兼脱水槽、７は洗濯兼脱水槽６の上部周縁部に設けられ、螺旋状のリブ７ａを全内周面に形成したバランサー、８は洗濯兼脱水槽６の壁面に形成する脱水孔、９は洗濯兼脱水槽６内に入っている洗濯物、１０は洗濯兼脱水槽６の内底部に配設する回転翼、１１は回転翼１０に多数形成された回転翼通気孔、１２は洗濯兼脱水槽６の内底部の回転翼１０の下方位置に形成された排水兼排気孔、１３は外箱１の上部開口に配接された蓋１４を有するトップカバー、１５は駆動部３を制御するトップカバー１３内に配設した制御部、１６はトップカバー１３に形成された吸気口、１７は外箱１の上部後壁面に形成する排気口である。なお、図中の矢印は外気の流れ（風）を示すものである。
【００１１】
このように構成された電気洗濯機においては、まず、洗い工程、すすぎ工程、脱水工程と行われる。そして、脱水工程が終了した後、洗濯兼脱水槽６を回転させる。この洗濯兼脱水槽６の回転作用によって遠心力が発生すると同時に、洗濯兼脱水槽６の上方に位置する吸気口１６から外気が洗濯兼脱水槽６内に吸い込まれる。このとき、バランサー７が図４に示すような螺旋状のリブ７ａを全内周面に形成する形状とすることで吸気口１６から取り入れる外気が螺旋状のリブ７ａに沿って流れ易くなり、外気が吸い込まれやすくなる。このようにして取り込まれた外気は、洗濯物９に接触して洗濯物９に含まれている水分を気化し、洗濯物９の水分量を減らしていく。そして、水分を含んだ外気は、図３に示す回転翼１０に多数形成された回転翼通気孔１１から洗濯兼脱水槽６外へ流れ出て、洗濯兼脱水槽６の内底部に形成した排水兼排気孔１２を通過して、洗濯兼脱水槽６と外槽２との間の隙間を通って外箱１上部後壁面に設けた排出口１７から外部へ排出されるもの（図１の細い線の矢印）、洗濯兼脱水槽６内から直接排気口１７から排出されるものとがある（図１の太い線の矢印）。
【００１２】
次に、洗濯兼脱水槽６の回転制御について説明する。通常の脱水工程時と同様の回転速度、回転方向による回転作用で外気を取り込むことができるが、さらに、洗濯兼脱水槽６の回転数を可変または回転速度を変化させるようにすれば、洗濯兼脱水槽６内に圧力が発生し、外気が取り込まれやすくなり、外気の流れに強弱をつけることができ、洗濯物９の水分の気化蒸発を促進させることができる。また、回転方向を左右に可変するようにすれば、取り込んだ外気の流れが変わり洗濯物９をほぐす作用が発生し、洗濯物９に満遍なく外気を当てることができる。
【００１３】
また、洗濯兼脱水槽６の回転の途中または洗濯兼脱水槽６の回転終了後に、回転翼１０を回転させて、洗濯兼脱水槽６内の洗濯物９を掻き落とし、ほぐすようにすることでも洗濯物９に満遍なく取り込んだ外気の流れ（風）を接触させることができる。
【００１４】
つまり、トップカバー１３と洗濯兼脱水槽６の内底部にそれぞれ吸気口１６と排水兼排気孔１２とを設けることで、洗濯兼脱水槽６の回転作用により外気が吸気口１６から排水兼排気孔１２に向かって流れるようになり、さらにはバランサー７に設けたリブ７ａによってさらに外気が流れ易くなり、洗濯兼脱水槽６内にある水分を含んだ洗濯物９に効果的に空気の流れ（風）が接触するようになる。
【００１５】
このようにして、外気を風の流れとして洗濯兼脱水槽６内の水分を含んだ洗濯物９に接触させることで、洗濯物を外に干した時と同じように洗濯物９内の水分を気化蒸発させることができる。そして、洗濯兼脱水槽６の回転の途中で回転翼１０を回転させることで洗濯物９を攪拌するので、洗濯物９内の水分を万遍なく気化させて除去することができる。
【００１６】
このような動作を、所定時間行なってから洗濯物９を干すことで、脱水工程後にそのまま干した洗濯物よりも早く乾かすことができる。例えば、洗濯物の量や乾かす場所の気温／湿度などによっても異なるが、図６の乾燥特性図に示すように、８Ｋｇの洗濯物９を洗濯した後に干して乾かす場合（図６グラフａ）、脱水工程後にそのまま干したものは乾くまで２４０分かかるのに比べ、脱水工程後に上記洗濯兼脱水槽６の回転による外気の流れ（風）を洗濯物に接触させて水分を気化蒸発させた後に干したもの（図６のグラフｂ）は１６０分で乾き、２／３の時間で乾かすことができる。
【００１７】
このように、乾燥器具などを使うことがないため、コストがかからずさらに構造も複雑化せずに、洗濯物が乾く時間を短縮させることができる。
【００１８】
また、上記実施の形態では、洗い工程、すすぎ工程、脱水工程終了後の水分を含んだ洗濯物９に外気を風の流れとして接触させるものとしているが、すすぎ工程終了後の水分を含んだ洗濯物に上記のようにして発生させる空気の流れを接触させるようにしても同様の効果を奏することができる。また、上記実施の形態に記載されている外気を空気の流れとして水分を含んだ洗濯物に接触させることを１つの工程として単独で行うことも可能であり、手洗いなどした洗濯物に対しても外気を風の流れとして接触させることで同様の効果を奏することができる。
【００１９】
実施の形態２．また、吸気口１６については、上記実施の形態１ではトップカバー１３に形成しているが、洗濯兼脱水槽６の開口部より上方位置に形成すればどこでもよく、回転翼１０の回転翼通気孔１１や洗濯兼脱水槽６の内底部に設けた排水兼排気口１２と直線状上のトップカバー１３位置に形成すると、外気が洗濯兼脱水槽６内底部にある排気口１２に向かって吸い込まれるため、効果的である。また、図７に示すように、トップカバー１３に形成する吸気口１６を大きく形成し、開閉自在の吸気口用のカバー１８を取り付ければ、大きな吸気口１６によって取り入れる風量をさらに大きくすることができるとともに、通常の洗い工程やすすぎ工程など吸気口１６からの外気の取り込みが不要なときにはカバー１５を閉じるようにすることができる。
【００２０】
また、図８に示すように、上記吸気口１６にエアーフィルター１９を取り付けて外気中の雑菌などの洗濯兼脱水槽６内への侵入を防ぎ、きれいな外気を取り入れるようにし、洗濯物９のニオイの発生を抑えることができ、そのエアーフィルター１９を着脱自在に形成すればフィルター清掃も楽に行うことができる（図８参照）。
【００２１】
実施の形態３．また、上記実施の形態１および２において、制御部１５により洗濯兼脱水槽６の回転途中で洗濯兼脱水槽６の回転と交互に回転翼１０を回転するように制御すれば、洗濯兼脱水槽６の回転による遠心力で洗濯顕脱水槽５の壁面に張り付いた洗濯物９を書き落とすことができ、洗濯物９に吸気口１６から取り入れた外気をムラなく満遍なく接触させることができる。
【００２２】
以上のようにこの発明は、外箱内に支持された外槽内に、洗濯兼脱水槽を回転自在に配設し、洗濯物の洗いやすすぎを行う電気洗濯機において、前記洗濯兼脱水槽内に水分を含んだ洗濯物を投入し、前記洗濯兼脱水槽の回転力により空気の流れを洗濯兼脱水槽内に取り込み、前記洗濯物とその空気が接触するように前記洗濯兼脱水槽の回転を制御するので、洗濯物の水分を気化蒸発させて早く除去できる。
【００２３】
また、外箱内に支持された外槽内に、洗濯兼脱水槽を回転自在に配設し、洗い工程、すすぎ工程、脱水工程を自動的に行う全自動洗濯機において、前記脱水工程終了後、洗濯物が投入されている洗濯兼脱水槽を回転させ、その洗濯兼脱水槽の回転力により空気の流れを前記洗濯兼脱水槽内に取り込み、前記洗濯兼脱水槽内の洗濯物とその空気が接触するように前記洗濯兼脱水槽を制御するので、洗濯物の水分を気化蒸発させて早く除去することができる。
【００２４】
さらに、外箱内に支持された外槽内に、洗濯兼脱水槽を回転自在に配設し、洗い工程、すすぎ工程を自動的に行う全自動洗濯機において、前記すすぎ工程終了後、洗濯物が投入されている洗濯兼脱水槽を回転させ、その洗濯兼脱水槽の回転力により空気の流れを前記洗濯兼脱水槽内に取り込み、前記洗濯兼脱水槽内の洗濯物とその空気が接触するように前記洗濯兼脱水槽を制御するので、洗濯物の水分を洗濯兼脱水槽の回転による遠心力からの脱水と空気との接触による気化蒸発によって早く除去することができる。
【図面の簡単な説明】
【００２５】
【図１】この発明の実施の形態１を示す電気洗濯機の断面図である。
【図２】この発明の実施の形態１を示す電気洗濯機の要部斜視図である。
【図３】この発明の実施の形態１を示す電気洗濯機の要部斜視図である。
【図４】この発明の実施の形態１を示す電気洗濯機の要部上面図である。
【図５】この発明の実施の形態１を示す電気洗濯機の背面斜視図である。
【図６】この発明の実施の形態１を示す電気洗濯機の乾燥特性図である。
【図７】この発明の実施の形態２を示す電気洗濯機の要部側面図である。
【図８】この発明の実施の形態２を示す電気洗濯機の要部斜視図である。
【図９】この発明の実施の形態２を示す電気洗濯機の要部斜視図である。
【図１０】従来の電気洗濯機を示す断面図である。
【符号の説明】
【００２６】
１  外箱、２  外槽、３  駆動部、４  モータ、５  減速機、６  洗濯兼脱水槽、７  バランサー、７ａ  リブ、８  脱水孔、９  洗濯物、１０  回転翼、１１  回転翼通気孔、１２  排水兼排気孔、１３  トップカバー、１４  蓋、１５  制御部、１６  吸気口、１７  排気口
【図１】
2005052682.tif 000003
【図２】
2005052682.tif 000004
【図３】
2005052682.tif 000005
【図４】
2005052682.tif 000006
【図５】
2005052682.tif 000007
【図６】
2005052682.tif 000008
【図７】
2005052682.tif 000009
【図８】
2005052682.tif 000010
【図９】
2005052682.tif 000011
【図１０】
2005052682.tif 000012